(57)【要約】【課題】  各顧客の購入した眼鏡に関する情報を効率良く管理することのできる眼鏡情報管理システムを提供する。【解決手段】  眼鏡情報管理システム１は、端末装置１１（１１Ａ〜１１Ｃ）と、通信回線Ｎを介して端末装置１１から接続可能な管理サーバ１２とを備えている。管理サーバ１２には、識別子に関連付けられた顧客の個人属性情報及び当該顧客の購入した眼鏡に関する情報が端末装置１１を通じて更新可能に記憶されている。管理サーバ１２は、端末装置１１から眼鏡に記録された識別子が送信された場合、当該送信された識別子に対応する個人属性情報及び眼鏡に関する情報を検索し、当該検索によって抽出した情報を端末装置１１に送信するように構成されている。【選択図】    図１
2005149079.tif 000002
【特許請求の範囲】
【請求項１】
端末装置と、通信回線を介して前記端末装置から接続可能な管理サーバとを備えたシステムであって、
前記管理サーバには、識別子に関連付けられた顧客の個人属性情報及び当該顧客の購入した眼鏡に関する情報が前記端末装置を通じて更新可能に記憶されており、
前記管理サーバは、前記端末装置から眼鏡に記録された識別子が送信された場合、当該送信された識別子に対応する個人属性情報及び眼鏡に関する情報を検索し、当該検索によって抽出した情報を前記端末装置に送信することを特徴とする眼鏡情報管理システム。
【請求項２】
眼鏡に取り付けられ識別子が記憶されたＲＦＩＤチップと、
前記端末装置に接続されたＲＦＩＤ読取装置とを更に備え、
前記ＲＦＩＤ読取装置で読み取った前記ＲＦＩＤチップに記憶された識別子が前記端末装置に送信された後、当該端末装置から前記管理サーバに送信されることを特徴とする請求項１に記載の眼鏡情報管理システム。
【請求項３】
前記識別子は、レーザ加工によって眼鏡に刻印されていることを特徴とする請求項１に記載の眼鏡情報管理システム。
【請求項４】
前記識別子は、眼鏡に貼着された転写層から形成されていることを特徴とする請求項１に記載の眼鏡情報管理システム。
【請求項５】
前記管理サーバには、各種眼鏡フレームの属性情報に関連付けられた販売ターゲットの年齢データ及び年間の管理費用データと、各年齢毎の平均余命データとが前記端末装置を通じて更新可能に記憶されており、
前記管理サーバは、前記端末装置から眼鏡フレームの属性情報が送信された場合、当該送信された属性情報に対応する販売ターゲットの年齢データ及び年間の管理費用データを検索し、当該検索によって抽出した年齢データに対応する平均余命データに前記検索によって抽出した年間の管理費用データを乗算することにより生涯管理費用データを算出し、当該算出した生涯管理費用データに基づいて販売価格を決定し、当該決定した販売価格を前記端末装置に送信することを特徴とする請求項１から４のいずれかに記載の眼鏡情報管理システム。
【発明の詳細な説明】
【技術分野】
【０００１】
本発明は、各顧客の購入した眼鏡に関する情報を効率良く管理することのできる眼鏡情報管理システムに関する。
【背景技術】
【０００２】
従来より、眼鏡販売店舗においては、各顧客の購入した眼鏡についてのメンテナンス管理や新たな眼鏡の販売促進に役立たせるべく、各顧客の個人属性情報（氏名、住所、生年月日、電話番号など）に関連付けて、当該顧客の購入した眼鏡に関する情報（購入した眼鏡の仕様、購入年月日、購入金額、メンテナンス履歴など）を管理している。斯かる眼鏡情報の管理方法としては、顧客台帳を用いて管理したり、或いは、販売店舗に設置したコンピュータに各顧客の個人属性情報に関連付けて当該顧客が購入した眼鏡情報を記憶することによって管理する方法などが用いられてきた。
【０００３】
顧客台帳を用いて管理する方法では、各顧客の個人属性情報に対応する眼鏡情報を検索するのに手間を要するという問題がある。また、特にチェーン店として多店舗展開している眼鏡販売企業にとっては、例えば一の販売店舗で販売した眼鏡について他の販売店舗での修理を顧客が欲したような場合に、当該眼鏡に関する情報を他の販売店舗で迅速に検索することができないという問題もある。
【０００４】
これに対し、コンピュータに各顧客の個人属性情報に関連付けて当該顧客が購入した眼鏡情報を記憶することによって管理する方法では、顧客台帳に比べて迅速な検索が可能であると共に、各販売店舗に設置したコンピュータをネットワーク化して情報を共有化することにより、一の販売店舗で販売した眼鏡に関する情報を他の販売店舗で迅速に検索することができるという利点を有する。
【０００５】
しかしながら、従来のコンピュータによる管理方法によれば、各顧客の個人属性情報に対応する眼鏡情報を検索するために、販売店舗の店員が顧客に氏名や電話番号などの個人属性情報を直接聞いた上で、或いは、顧客に筆記させて店員が読み取った上で、これを検索キーとしてコンピュータに入力する必要があり、顧客に煩わしさを感じさせたり、聞き取りミスや読み取りミスが生じるおそれがあるという問題があった。ここで、コンピュータを用いた眼鏡情報の管理方法としては、コンピュータに各顧客毎に異なるＩＤ番号とこれに関連付けられた当該顧客の個人属性情報及び当該顧客の購入した眼鏡に関する情報を記憶しておく一方、ＩＤ番号を記録したメンバーズカードを発行し、顧客が提示したカードのＩＤ番号を読取装置で読み取ってコンピュータに入力することにより、各顧客の個人属性情報に対応する眼鏡情報を検索する方法も知られている。斯かる方法によれば、前述した問題を解消できるものの、あくまでも顧客が販売店舗に眼鏡と共にメンバーズカードを持参することが前提となるため、顧客にとっては煩わさを感じるという問題がある。また、カードを持参し忘れた場合には、販売店舗の店員が顧客に氏名や電話番号などの個人属性情報を聞く等の必要が生じ、やはり前述したように聞き取りミス等の問題が生じるおそれがあることになる。さらに、カードを紛失するおそれもあり、紛失した場合には、販売店舗側はカードを再発行する手間が生じることになる。
【発明の開示】
【発明が解決しようとする課題】
【０００６】
以上のように、従来の眼鏡情報の管理方法は、顧客側及び眼鏡販売店舗側の双方にとって手間が掛かり効率が悪いという問題があった。
【０００７】
本発明は、斯かる従来技術の問題を解決するべくなされたものであり、各顧客の購入した眼鏡に関する情報を効率良く管理することのできる眼鏡情報管理システムを提供することを課題とする。
【課題を解決するための手段】
【０００８】
前記課題を解決するべく、本発明は、端末装置と、通信回線を介して前記端末装置から接続可能な管理サーバとを備えたシステムであって、前記管理サーバには、識別子に関連付けられた顧客の個人属性情報及び当該顧客の購入した眼鏡に関する情報が前記端末装置を通じて更新可能に記憶されており、前記管理サーバは、前記端末装置から眼鏡に記録された識別子が送信された場合、当該送信された識別子に対応する個人属性情報及び眼鏡に関する情報を検索し、当該検索によって抽出した情報を前記端末装置に送信することを特徴とする眼鏡情報管理システムを提供するものである。
【０００９】
斯かる発明によれば、眼鏡自体に識別子が記録されており、管理サーバは、パーソナルコンピュータ等の端末装置から眼鏡に記録された識別子が送信された場合、当該送信された識別子に対応する個人属性情報及び眼鏡に関する情報を検索し、当該検索によって抽出した情報を端末装置に送信するように構成される。従って、従来のようにＩＤ番号を記録したメンバーズカードを店舗に持参する必要もなく、眼鏡に記録された識別子を端末装置に入力し、管理サーバに送信するだけで当該識別子に対応する個人属性情報及び眼鏡情報を抽出できるため効率の良い管理が可能である。なお、眼鏡に記録された識別子を端末装置に入力するには、眼鏡販売店舗の店員が識別子を目視で読み取り端末装置が具備するキーボード等で入力するか、或いは、端末装置に接続された所定の読取装置で読み取って入力する構成が考えられる。
【００１０】
好ましくは、眼鏡に取り付けられ識別子が記憶されたＲＦＩＤチップと、前記端末装置に接続されたＲＦＩＤ読取装置とを更に備え、前記ＲＦＩＤ読取装置で読み取った前記ＲＦＩＤチップに記憶された識別子が前記端末装置に送信された後、当該端末装置から前記管理サーバに送信されるように構成される。
【００１１】
斯かる発明によれば、眼鏡に取り付けられたＲＦＩＤ（Radio Frequency Identification）チップに記憶された識別子が無線周波として送信され、これをＲＦＩＤ読取装置で受信し読み取り、端末装置に送信される構成であるため、眼鏡販売店舗の店員が識別子を目視で読み取る必要がないという利点を有する。また、眼鏡に存在し得る埃や汚れ等に影響されない上、ＲＦＩＤチップの取り付け（埋設など）位置とＲＦＩＤ読取装置との相対的位置関係についての制約も乏しく、自由度の高いシステムが提供されるという利点を有する。
【００１２】
或いは、前記識別子をレーザ加工によって眼鏡に刻印することも可能である。
【００１３】
斯かる発明によれば、眼鏡に刻印された識別子を眼鏡販売店舗の店員が目視で読み取り端末装置に入力するか、或いは、識別子を例えば画像コード（バーコードや２次元コード等、図形表示したコード）で刻印し、画像コード読取装置で読み取った識別子を端末装置に送信する構成を採用することが可能である。
【００１４】
或いは、前記識別子を眼鏡に貼着された転写層から形成することも可能である。
【００１５】
斯かる発明によれば、眼鏡に貼着された識別子を眼鏡販売店舗の店員が目視で読み取り端末装置に入力するか、或いは、識別子を例えば画像コード（バーコードや２次元コード等、図形表示したコード）で形成し、画像コード読取装置で読み取った識別子を端末装置に送信する構成を採用することが可能である。
【００１６】
好ましくは、前記管理サーバには、各種眼鏡フレームの属性情報に関連付けられた販売ターゲットの年齢データ及び年間の管理費用データと、各年齢毎の平均余命データとが前記端末装置を通じて更新可能に記憶されており、前記管理サーバは、前記端末装置から眼鏡フレームの属性情報が送信された場合、当該送信された属性情報に対応する販売ターゲットの年齢データ及び年間の管理費用データを検索し、当該検索によって抽出した年齢データに対応する平均余命データに前記検索によって抽出した年間の管理費用データを乗算することにより生涯管理費用データを算出し、当該算出した生涯管理費用データに基づいて販売価格を決定し、当該決定した販売価格を前記端末装置に送信するように構成される。
【００１７】
斯かる発明によれば、眼鏡情報を単に管理するのみならず、販売する眼鏡が顧客の生涯に亘って継続して使用されるような眼鏡である場合において、当該眼鏡の価格を自動的に算出することができるという利点を有する。
【発明の効果】
【００１８】
本発明に係る眼鏡情報管理システムによれば、眼鏡自体に識別子が記録されており、管理サーバは、パーソナルコンピュータ等の端末装置から眼鏡に記録された識別子が送信された場合、当該送信された識別子に対応する個人属性情報及び眼鏡に関する情報を検索し、当該検索によって抽出した情報を端末装置に送信するように構成される。従って、従来のようにＩＤ番号を記録したメンバーズカードを店舗に持参する必要もなく、眼鏡に記録された識別子を端末装置に入力し、管理サーバに送信するだけで当該識別子に対応する個人属性情報及び眼鏡情報を抽出できるため、効率の良い眼鏡情報の管理が可能である。
【発明を実施するための最良の形態】
【００１９】
以下、添付図面を参照しつつ、本発明の一実施形態について説明する。
図１は、本発明の一実施形態に係る眼鏡情報管理システムの概略構成を示す図である。図１に示すように、本実施形態に係る眼鏡情報管理システム１は、端末装置１１Ａ〜１１Ｃ（以下、適宜これらを総称して端末装置１１という）と、通信回線としてのインターネットＮを介して端末装置１１から接続可能な管理サーバ１２とを備えている。また、本実施形態に係る眼鏡情報管理システム１は、好ましい態様として、眼鏡Ｇ１〜Ｇ３（以下、適宜これらを総称して眼鏡Ｇという）にそれぞれ取り付けられ識別子が記憶されたＲＦＩＤ（Radio Frequency Identification）チップ１３（図２参照）と、端末装置１１Ａ〜１１Ｃにそれぞれ接続されたＲＦＩＤ読取装置１４Ａ〜１４Ｃ（以下、適宜これらを総称してＲＦＩＤ読取装置１４という）とを備えている。
【００２０】
端末装置１１Ａ〜１１Ｃは、眼鏡販売企業の各販売店舗Ｓ１〜Ｓ３（以下、適宜これらを総称して店舗販売Ｓという）にそれぞれ設置されている。端末装置１１としては、インターネットＮ等の通信回線を介して管理サーバ１２に接続可能である限りにおいて特に制約はなく、例えば、汎用のパーソナルコンピュータやＰＤＡ（Personal Digital Assistant）等から構成される。
【００２１】
管理サーバ１２は、眼鏡販売企業が運営・管理しており、前述のように、インターネットＮを介して端末装置１１から接続可能とされている。管理サーバ１２には、眼鏡販売企業が設定した識別子に関連付けられた顧客の個人属性情報及び当該顧客の購入した眼鏡に関する情報が端末装置１１を通じて更新可能に記憶されている。より具体的に説明すれば、管理サーバ１２には、所定の桁数を有する数字や英数字等から構成される識別子に関連付けて、顧客の個人属性情報（氏名、住所、固定電話番号、携帯電話番号、パーソナルコンピュータの電子メールアドレス、携帯電話の電子メールアドレス、生年月日、家族の有無、趣味など）及び当該顧客の購入した眼鏡に関する情報（購入した眼鏡の仕様、購入年月日、検査度数、眼鏡度数、来店方法、来店動機、担当者、購入金額などの購入履歴に関する情報、並びに、ナイロールフレームにおけるナイロン糸交換の年月日・回数、パッド交換の年月日・回数、先セル交換の年月日・回数、クリーニングサービスの年月日・回数、掛け具合とバランス調整サービスの年月日・回数、フレーム再メッキサービスの年月日・回数などのメンテナンス履歴に関する情報）が更新可能に記憶されている。以上に述べた情報の他、本実施形態に係る管理サーバ１２には、眼鏡の販売促進履歴に関する情報（顧客宅への訪問年月日、訪問内容、ダイレクトメールの発送年月日・内容、電子メールの送信年月日・内容など）や、眼鏡のメンテナンス以外のサービス履歴（視力測定サービスの年月日・回数、張力測定サービスの年月日・回数、ポイントサービスのポイント数など）も更新可能に記憶されている。より具体的に説明すれば、管理サーバ１２は、端末装置１１を通じて情報を入力するための所定のウェブサイトを提供しており、端末装置１１から当該情報入力用ウェブサイトにアクセスした後、識別子、顧客の個人属性情報及び当該顧客の購入した眼鏡に関する情報等を入力することにより、前記識別子に関連付けて前記情報を記憶することになる。
【００２２】
なお、本実施形態では、各眼鏡Ｇ毎に異なる識別子を設定する構成を採用している。従って、同じ顧客であっても、複数の眼鏡Ｇを購入した場合には、各眼鏡Ｇに対応する複数の識別子を有することになり、管理サーバ１２には、複数の識別子のそれぞれに関連付けて同一の顧客の個人属性情報が記憶されることになる。斯かる構成によれば、顧客に販売する前に予め各眼鏡Ｇに識別子を記録しておく運用を採用することが可能である。ただし、本発明はこれに限るものではなく、各顧客毎に異なる識別子を設定する構成を採用することも可能である。斯かる構成の場合には、眼鏡Ｇを販売する顧客が決定した後に、当該眼鏡Ｇに当該顧客に対応する識別子を記録する必要が生じるため、記録方法によっては当該眼鏡Ｇが顧客の手に渡るのに時間を要するという欠点があるものの、同じ顧客が複数の眼鏡Ｇを購入した場合には、同じ識別子で全ての眼鏡Ｇに関する情報を管理することができるという利点を得ることができる。
【００２３】
次に、管理サーバ１２は、端末装置１１Ａ〜１１Ｃからそれぞれ眼鏡Ｇ１〜Ｇ３に記録された識別子が送信された場合、当該送信された識別子に対応する個人属性情報や眼鏡に関する情報などの上述した情報を検索し、当該検索によって抽出した情報を前記識別子を送信した端末装置１１Ａ〜１１Ｃに送信するように構成されている。より具体的に説明すれば、管理サーバ１２は、記憶された情報を端末装置１１で閲覧するための所定のウェブサイトを提供しており、端末装置１１から前記情報閲覧用ウェブサイトにアクセスした後、眼鏡に記録された識別子を入力することにより、当該識別子に対応する情報が検索・抽出されて表示されることになる。
【００２４】
販売店舗Ｓの店員は、前記表示された情報を参照しながら、各顧客が購入した眼鏡のメンテナンス等のサービスを施すことができる他、各顧客に応じた新たな眼鏡の販売促進を図ることもできる。なお、サービスを終えた店員が前記情報入力用ウェブサイトにおいて更新情報を入力することにより、当該更新情報は管理サーバ１２に記憶されることになる。また、前記記憶された情報の閲覧や更新情報の入力は、インターネットＮを介して管理サーバ１２と接続可能な端末装置１１である限りにおいて、何れの端末装置１１を通じても実行可能であるため、眼鏡Ｇを購入した販売店舗Ｓとメンテナンス等のサービスを受ける販売店舗Ｓとが異なるような場合であっても何ら問題は生じず、管理サーバ１２において情報を共有化することができる。
【００２５】
なお、本実施形態の場合、識別子を眼鏡Ｇに記録するべく、前述のように、識別子が記憶されたＲＦＩＤチップ１３が眼鏡Ｇに取り付けられている一方、端末装置１１にはＲＦＩＤ読取装置１４が接続されている。斯かる構成により、ＲＦＩＤチップ１３に記憶された識別子は無線周波としてＲＦＩＤ読取装置１４に送信され、ＲＦＩＤ読取装置１４で受信されて読み取られることになる。ＲＦＩＤ読取装置１４で読み取られた識別子は、端末装置１１に送信された後、端末装置１１から管理サーバ１２に送信される。従って、本実施形態の場合、前述した情報閲覧用ウェブサイトでの識別子の入力は、ＲＦＩＤ読取装置１４で識別子を読み取ることによって自動的に実行されることになる。以上のように、識別子が記憶されたＲＦＩＤチップ１３を眼鏡Ｇに取り付ける構成を採用すれば、販売店舗Ｓの店員が識別子を目視で読み取る必要がないという利点を有する。また、眼鏡Ｇに存在し得る埃や汚れ等に影響されない上、ＲＦＩＤチップ１３の取り付け位置とＲＦＩＤ読取装置との相対的位置関係についての制約も乏しく、自由度の高いシステムが提供されるという利点を有する。
【００２６】
また、図２に示すように、本実施形態に係るＲＦＩＤチップ１３は、眼鏡Ｇのテンプル２の内側であって眼鏡を掛ける人の皮膚に接触しない部位に取り付けられている。しかしながら、ＲＦＩＤチップ１３の取り付け位置としては、これに限るものではなく、例えば、先セル３、ブリッジ４、パッド５など、眼鏡Ｇの各種部位に取り付けることが可能である。また、ＲＦＩＤチップ１３の取り付け方法としては、眼鏡Ｇの所定部位に埋設することの他、接着剤を用いて接着することも可能である。なお、ＲＦＩＤチップ１３としては、少なくとも識別子を記憶する機能を奏すればよいため、読み取り専用型のチップを適用することができる。しかしながら、データの書き込みが可能な書き込み型のＲＦＩＤチップを採用すれば、管理サーバ１２に更新可能に記憶されるべき顧客の個人属性情報や当該顧客の購入した眼鏡に関する情報の一部を当該ＲＦＩＤチップに記憶させることもでき、管理サーバ１２の負荷を低減することができる点で好ましい。
【００２７】
以上に説明したように、本実施形態では、眼鏡Ｇに識別子を記録する方法として、識別子が記憶されたＲＦＩＤチップ１３を眼鏡Ｇに取り付ける構成を採用しているが、本発明はこれに限るものではなく、他の記録方法を採用することも可能である。具体的には、例えば、識別子をレーザ加工によって刻印することが可能である。また、識別子を眼鏡Ｇに貼着された転写層から形成することも可能である。これらの場合、眼鏡Ｇに刻印された（或いは貼着された）識別子を販店舗Ｓの店員が目視で読み取り端末装置１１に入力するか、或いは、識別子を例えば画像コード（バーコードや２次元コード等、図形表示したコード）で刻印（或いは、画像コードで形成した識別子を貼着）し、画像コード読取装置で読み取った識別子を端末装置１１に送信する構成を採用することが可能である。なお、レーザ加工によって刻印するための具体的方法、及び、転写層を形成するための具体的方法（例えば、いわゆる転写シートを利用するなど）は、それぞれ公知のものを適用可能であるため、その詳細な説明はここでは省略する。
【００２８】
なお、本実施形態に係る眼鏡情報管理システム１は、眼鏡Ｓの情報を単に管理するのみならず、販売する眼鏡Ｓが顧客の生涯に亘って継続して使用されるような眼鏡である場合において、当該眼鏡Ｓの価格（以下、生涯保証販売価格という）を自動的に算出することができるという機能をも有している。以下、本システム１における生涯保証販売価格の算出機能について説明する。
【００２９】
本実施形態に係る管理サーバ１２には、各種眼鏡フレームの属性情報と、当該属性情報に関連付けられた販売ターゲットの年齢データ及び年間の管理費用データと、各年齢毎の平均余命データとが端末装置１１を通じて更新可能に記憶されている。ここで、眼鏡フレームの属性情報としては、メタル、ナイロール、セル、ツーポイント、ブロウなど眼鏡フレームの型に関する情報の他、紳士用・婦人用・兼用の性別、フレームの仕入先・仕入年月日・仕入金額、ブランド名称・品番、カラー色・品番、サイズ、標準価格、一般販売価格、必要なメンテナンス事項などの情報をあげることができる。
【００３０】
図３は、管理サーバに記憶される眼鏡フレームの属性情報に関連付けられた販売ターゲットの年齢データの一例を示す図である。図３に示す例では、眼鏡フレームの属性情報の内、メタル、ナイロール、セル、ツーポイント（図３では「ツーポ」と表記）、ブロウなど眼鏡フレームの型及び紳士用・婦人用・男女兼用の性別に関する情報と、販売ターゲットの年齢データ（本実施形態では販売ターゲットの年齢構成比であり、単位は％）とが関連付けられており、これらの対応関係がテーブル形式で記憶されている。より具体的に説明すれば、紳士用については、メタル、ナイロール、セル、ツーポイント及びブロウの各眼鏡フレームの型毎に、婦人用については、メタル、ナイロール、セル及びツーポイントの各眼鏡フレームの型毎に、男女兼用については、メタル、ナイロール、セル、ツーポイント及びブロウの各眼鏡フレームの型毎に、それぞれ想定される販売ターゲットの年齢構成比が１歳単位で記憶されている。なお、本実施形態において管理サーバ１２に記憶される販売ターゲットの年齢構成比は、販売管理システム（図示せず）で管理されている一定期間の販売実績の内、必要な情報（販売された眼鏡のフレームの型及び性別に関する情報や購入者の年齢など）が管理サーバ１２に逐次送信され、当該送信された情報に基づき管理サーバ１２が自動的に算出する実際の眼鏡購入者の年齢構成比とされている。
【００３１】
管理サーバ１２に記憶される年間の管理費用データは、眼鏡フレームの属性情報に応じて異なるメンテナンスに必要な部品代や作業費の他、メンテナンスに関する通知等の情報管理費などに基づき、眼鏡フレームの属性情報に応じて設定され、テーブル形式で記憶されている。
【００３２】
図４は、管理サーバに記憶される各年齢毎の平均余命データの一例を示す図である。図４に示すように、管理サーバ１２には、男女別に各年齢毎の平均余命データがテーブル形式で記憶されている。
【００３３】
管理サーバ１２は、端末装置１１から眼鏡フレームの属性情報が送信された場合、当該送信された属性情報に対応する販売ターゲットの年齢データ及び年間の管理費用データを検索する。次に、当該検索によって抽出した年齢データに対応する平均余命データに前記検索によって抽出した年間の管理費用データを乗算することにより生涯管理費用データを算出する。より具体的に説明すれば、例えば、端末装置１１から眼鏡フレームの属性情報として、紳士用のメタルフレームであるという情報が送信された場合、まず、図３における紳士用メタルフレームの欄に示す販売ターゲットの年齢構成比と、図４における男の平均余命データとを、各年齢毎に乗算・積算することにより、販売ターゲットの年齢データに対応する平均余命データ（換言すれば、販売ターゲットの平均余命の平均値）を算出した後、当該算出した平均余命データに、抽出した年間の管理費用データを乗算することによって生涯管理費用データを算出するものである。管理サーバ１２は、このようにして算出した生涯管理費用データに基づいて（例えば、算出した生涯管理費用と、眼鏡フレームの属性情報の内の一般販売価格とを加算することにより）最終的な販売価格（生涯保証販売価格）を決定し、当該決定した生涯保証販売価格を端末装置１１に送信するように構成されている。
【００３４】
以上のように、本実施形態に係る眼鏡情報管理システム１によれば、眼鏡情報を単に管理するのみならず、販売ターゲットの年齢データに即した適切な生涯保証販売価格を自動的に算出可能であるという優れた利点が得られる。
【図面の簡単な説明】
【００３５】
【図１】図１は、本発明の一実施形態に係る眼鏡情報管理システムの概略構成を示す図である。
【図２】図２は、眼鏡にＲＦＩＤチップを取り付けた状態を示す図である。
【図３】図３は、管理サーバに記憶される眼鏡フレームの属性情報に関連付けられた販売ターゲットの年齢データの一例を示す図である。
【図４】図４は、管理サーバに記憶される各年齢毎の平均余命データの一例を示す図である。
【符号の説明】
【００３６】
１…眼鏡情報管理システム
１１，１１Ａ，１１Ｂ，１１Ｃ…端末装置
１２…管理サーバ
１３…ＲＦＩＤチップ
１４，１４Ａ，１４Ｂ，１４Ｃ…ＲＦＩＤ読取装置
Ｎ…インターネット（通信回線）
Ｇ，Ｇ１，Ｇ２，Ｇ３…眼鏡
【図１】
2005149079.tif 000003
【図２】
2005149079.tif 000004
【図３】
2005149079.tif 000005
【図４】
2005149079.tif 000006